(57)【要約】【課題】複数系統の映像の加工処理等を行うビデオミキサー装置において、映像ソースの供給の手間を省き、映像ソースの管理をし易くする。【解決手段】一つのフレームに４つの動画（動画Ａ、動画Ｂ、動画Ｃ、動画Ｄ）を同時に記録した一つの映像ソースを用いる。ビデオミキサー装置の複数の映像入力チャンネルに一つの映像ソースによる同じ映像信号をそれぞれ入力する。各映像入力チャンネルにおいて選択した動画について、それぞれ映像の拡大、切り出しを行う。切り出した映像データに加工処理、映像効果付与等をおこなって、合成して出力する。【選択図】図２
2005269514.tif 000002
【特許請求の範囲】
【請求項１】
映像信号取得手段と、
画像面の一定範囲を確定させる範囲確定手段と、
映像信号から得られる画像面の一定範囲の映像データのみを時間的に連続して抽出する映像データ抽出手段と、
を有し、
前記映像信号取得手段で取得した１つのフレームに複数の動画を記録した映像信号から、前記範囲確定手段で確定させた一定範囲の映像データを前記映像データ抽出手段で抽出するように制御する制御手段と、
前記制御手段で制御して抽出した映像データを一定の大きさの描画面積になるようにして出力する映像データ出力手段とを有したことを特徴とする映像データ処理装置。
【請求項２】
請求項１の映像データ処理装置であって、
前記制御手段は、映像データ抽出手段で抽出する映像を、特定のタイミングで切り換えたり、描画制御を行うものであることを特徴とする映像データ処理装置。
【請求項３】
映像信号を入力して複数の映像入力チャンネルで該映像信号から得られる映像に各種の加工を施して出力する映像データ処理装置における映像データ処理方法であって、
１つのフレームに複数の動画を記録した映像信号を供給する映像記録媒体を用い、前記映像記録媒体で再生した映像信号を前記複数の映像入力チャンネルに入力し、各映像入力チャンネルにて前記映像信号の複数の動画から１つの動画の範囲を選択的に抽出して該抽出した動画の映像データを出力することを特徴とする映像データ処理方法。
【発明の詳細な説明】
【技術分野】
【０００１】
本発明は、入力した映像信号で得られる映像データに映像効果を与えて各種効果の付与された映像データを出力する映像データ処理装置及び映像データ処理方法に関し、特に、複数系統の映像信号をミキシングした映像データを出力するビデオミキサー装置等に適したものである。
【背景技術】
【０００２】
従来、ビデオミキサー装置は、オペレータによって指定された複数の入力系統の映像信号をミックスして映像表示装置にリアルタイムに出力するものであり、例えばコンサートや各種イベントにおいてバック映像などを演出する際に用いられる。その際、入力系統の選択、複数入力系統の映像データの混合比の設定、各入力系統の映像データに付与する視覚的効果（映像効果）の設定等が行われる。なお、これらの設定による映像の各加工仕様の一つ一つ、あるいはこの設定により加工処理された映像自体を「シーン」という。このようなのもとして、例えば特開２００２−２６２１７９号公報に開示されたものがある。
【特許文献１】特開２００２−２６２１７９号公報
【発明の開示】
【発明が解決しようとする課題】
【０００３】
上記のような従来のビデオミキサー装置によれば、混合や加工の元となる映像信号を複数系統用いることでバラエティに富んだ映像が得られる。しかしながら、複数の入力系統に映像信号を入力する際に、複数の映像再生装置や複数のメディアを同時再生したり、あるいは、複数の映像信号を異なる記憶装置から読み出すなど、入力ソースを用意する作業が煩雑になるという問題があった。また、あるシチュエーションで特定の組み合わせの複数の映像を用いて加工再生し、これを別のシチュエーションで、多少変更して再度加工再生したい場合も、同じ組み合わせの複数の映像ソースを用意する必要があり、メディア等を管理するのが煩雑になるという問題がある。
【０００４】
本発明は、複数の映像を混合、加工する映像データ処理装置において、複数の動画を扱う際の作業性を良くするとともに映像ソースの管理をし易くすることを課題とする。
【課題を解決するための手段】
【０００５】
請求項１の映像データ処理装置は、映像信号取得手段で取得した、１つのフレームに複数の動画を記録した映像信号から、範囲確定手段で確定させた一定範囲の映像データを抽出し、該抽出した映像データを一定の大きさの描画面積になるようにして出力するようにした。一定の大きさの描画面積とは画面全体の描画面積に限らず、画面の一部に窓のような描画区域を設けてそこに描画するような描画面積でもよい。
【０００６】
請求項２の映像データ処理装置は、請求項１に加えて、制御手段により、映像データ抽出手段で抽出する映像を、特定のタイミングで切り換えたり、描画制御を行うようにした。特定のタイミングは、例えば、ユーザが操作する操作子変化（実施形態における「シーンメモリスイッチ」の切り換えに対応する変化）や、切り換えのシーケンスデータ（実施形態における「ストリームデータ」に対応するデータ）による指示を行うものなどである。
【０００７】
請求項３の映像データ処理方法は、映像信号を入力して複数の映像入力チャンネルで該映像データに各種の加工を施して出力する映像データ処理装置における映像データ処理方法であって、１つのフレームに複数の動画を記録した映像信号を供給する映像記録媒体を用い、この映像信号を複数の映像入力チャンネルに入力し、各映像入力チャンネルにて映像信号の複数の動画から１つの動画の範囲を選択的に抽出して該抽出した動画の映像データを出力する。
【０００８】
好適な映像データ処理装置として、請求項１の映像データ処理装置であって、範囲確定手段における該範囲確定手段が確定する一定範囲を例えばユーザ等により設定できるようにしてもよい。この例によれば、請求項１と同様な効果に加え、１つの映像ソースに含まれる動画の数が異なるような映像ソースでも、映像ソースに応じて一定範囲を設定することにより容易に対応することができる。
【０００９】
好適な映像データ処理装置として、請求項２の映像データ処理装置であって、同時に複数の映像データを抽出して、任意の配列で同時に描写するものであり、また、抽出した映像データのそれぞれは、任意の映像効果（明暗、モザイク、白黒／カラー、彩度等）を付加して描写するものでもよい。
【発明の効果】
【００１０】
本発明の請求項１または請求項３によれば、複数の映像を混合、加工する映像データ処理装置において、１つの映像ソースで複数の動画を供給することができ、これらの動画から所望のものを切り出して各種処理を行うことができるので、複数の映像ソースを必要としないなど、複数動画を扱う際の作業性が良くなり、また、映像ソースの管理もし易くなる。また、複数の動画を一定の大きさイベントに拡大して表示することが可能となる。
【００１１】
請求項２によれば、請求項１と同様な効果に加え、１つの映像ソースで複数の動画を供給できるものにおいて簡単な操作でバラエティに富んだ映像が得られる。
【発明を実施するための最良の形態】
【００１２】
以下、図面を参照して本発明の一実施形態について説明する。図１は実施形態の映像データ処理装置における操作パネルを示す図である。この映像データ処理装置はビデオミキサー装置であり、ビデオカメラ、ビデオテープレコーダ、ＤＶＤ（Digital Versatile Disk）、パーソナルコンピュータ等の外部の映像機器から複数系統の映像信号を入力することができる。また、一つの入力系統の映像信号を処理単位とする映像入力チャンネルをｃｈ１，ｃｈ２，ｃｈ３，ｃｈ４の４チャンネル備えており、４つの映像入力チャンネルの各々に対して任意の系統の映像信号を割り当てることができる。そして、各映像入力チャンネルでは、操作子の操作によるパラメータ等の設定により、映像信号から得られる映像データの加工を行うことができ、この加工された映像データはミキシングされて、テレビモニタ、プロジェクタ、パーソナルコンピュータ等の映像表示装置に出力される。
【００１３】
また、映像データの加工のための各種パラメータ等の設定データ（１チャンネルまたは複数チャンネル分）をシーンメモリスイッチに対応させて一つのシーンデータとして記憶することができる。さらに、記憶したシーンデータを読み出したりパラメータ等を設定しながら、複数のシーンデータの時系列なセットからなるストリームデータを作成し、このストリームデータをストリームメモリスイッチに対応させて記憶することができる。このストリームデータは映像の切り換えタイミング（特定のタイミング）を設定するものであり、このストリームメモリスイッチはストリームデータにより映像を順次更新して再生する際に用いる。
【００１４】
ここで、映像信号は、図示しないリアパネルに配設されたＩｎ１，２，３，４及びＥｘｔ（エクスターナル）の５つの入力端子からアナログのコンポジット形式で入力することができるが、後述のように、一つの入力端子から１系統の映像信号（１つの映像ソース）を入力し、この１系統の映像信号から複数種類（この実施形態では４種類）の映像を得ることで本発明を実施する。なお、この１系統の映像信号から複数種類の映像を得るモードを、本明細書では「単一ソースモード」という。
【００１５】
図１において、各映像入力チャンネル（ｃｈ１〜ｃｈ４）はそれぞれ同じ操作子１１〜１９を備えている。１１はその映像入力チャンネルへの入力映像信号を選択する入力セレクトスイッチであり、各映像入力チャンネルごとに、Ｉｎ１，２，３，４及びＥｘｔの５入力から任意に１つを選択する。１２はそのチャンネルの使用／不使用（オン／オフ）を設定するチャンネルオンスイッチ、１３はポジ表示とネガ表示を切り替えるネガスイッチである。１４は輝度信号と色差信号のゲインを調整するトリムボリューム、１５は色相を調整する色相ボリューム、１６は色ゲイン（彩度）を調整する色ゲインボリューム、１７は後述のチャンネル共通制御部のパラメータをアサイン可能なアサイナブルボリュームである。１８は映像入力チャンネルの映像信号をクロスフェーダ４２のＡ入力／Ｂ入力の何れに割り当てるかあるいは「スルー」に設定するかを選択するアサインスイッチである。１９はその映像入力チャンネルの映像信号の出力レベルを設定するチャンネルフェーダである。
【００１６】
２１〜２６、３１〜３８は各映像入力チャンネルにさらに多様なパラメータを設定するチャンネル共通制御部の操作子である。２１はパラメータ値を変化させるロータリーエンコーダ、２２はこのパラメータ値を初期値に戻すイニシャライズボタン、２３はこのパラメータ値の設定対象の映像入力チャンネルを選択するチャンネルセレクトスイッチである。２４はパラメータ値を微調整したり２つのシーンの間を補間しながら変更するためのジョグシャトル、２５はジョグシャトル２４で補間変更する２つのシーンをアサインするアサインスイッチ、２６はジョグシャトル２４による補間変更の有効／無効を選択するスイッチである。
【００１７】
３１〜３８はロータリーエンコーダ２１に対してアサインするパラメータの種類を選択するためのパラメータスイッチである。スイッチ３１は映像の表示位置を決めるパラメータを選択し、スイッチ３２は画面分割数を決めるパラメータを選択し、スイッチ３３は反転表示の態様を決めるパラメータを選択する。スイッチ３４は映像のフレームを間引く割合を決めるパラメータを選択し、スイッチ３５は映像の表示サイズを決めるパラメータを選択し、スイッチ３６は映像の歪みの態様を決めるパラメータを選択する。スイッチ３７は選択チャンネルの映像をレイヤーとして表示するかしないか（レイヤー表示のオン／オフ）を選択し、スイッチ３８はパラメータ値をシフトするスイッチである。
【００１８】
４１は映像信号の出力時にリアルタイムに映像効果を与えるリアルタイムシーン機能に関する操作子郡であり、複数のシーンデータの各記憶領域に対応するシーンメモリスイッチや、プリセットシーンを呼び出すパターンスイッチ等を備えている。４２は、異なる映像入力チャンネルの前記アサインスイッチ１８で「Ａ入力」，「Ｂ入力」に割り当てられた２つの映像信号を合成し、その際の混合比（０〜１）を設定するクロスフェーダである。４３はミキシングされた映像信号の出力レベルを調整するマスタフェーダである。その他に、クロスフェード方法を選択するスイッチ、ストリームデータにより映像を順次更新して再生する機能に関する再生ボタン、停止ボタン等を備えている。
【００１９】
中央の１Ａの部分はシーンデータの削除や設定のキャンセル等の操作を行うシステム制御部である。このシステム制御部１Ａにはモードスイッチ１と設定スイッチ２が配設されており、このモードスイッチ１と設定スイッチ２により「単一ソースモード」の設定及びモード選択を行う。例えば、各映像入力チャンネルについて、次のように画像面の一定範囲を確定させる範囲確定操作を行う。モードスイッチ１の操作で「単一ソースモード」を選択し、スイッチ３５とロータリーエンコーダ２１で映像の表示サイズを決めるとともに、スイッチ３１とロータリーエンコーダ２１で映像の表示位置を決め、設定スイッチ２の操作により、画像面の一定範囲を確定させる。そして、「単一ソースモード」からぬけて通常のモードに入るときはモードスイッチ１を操作し、「単一ソースモード」に入るときはモードスイッチ１を操作する。この「単一ソースモード」にすると、各映像入力チャンネルはそのチャンネルに選択した映像信号について、上記一定範囲の映像信号を入力信号として扱うようになる。
【００２０】
図２は上記範囲確定操作による設定の一例を示す図である。まず、図２(A) は実施形態における単一ソースモードで用いる原映像信号による原画像の例であり、１つのフレームｆを縦横の４つに分割して、各分割領域に動画Ａ，動画Ｂ，動画Ｃ，動画Ｄの４つの動画を記録したものである。この映像信号は各映像入力チャンネル（ｃｈ１〜ｃｈ４）に共通に入力するが、各映像入力チャンネル毎にこの映像信号からそれぞれ１つの動画を選択する。
【００２１】
この一つの動画を選択する具体的な手法が前記範囲確定操作であり、各映像入力チャンネル（ｃｈ１〜ｃｈ４）における表示サイズのパラメータと表示位置のパラメータを設定する。例えば第１の映像入力チャンネルｃｈ１で動画Ａを選択する場合、図２(B) に示したように原映像信号の画像を縦横２倍に拡大するように表示サイズを設定する。画像の左上隅を画像の基準点とすると、この第１の映像入力チャンネルｃｈ１における表示位置のパラメータは通常の設定（移動しない設定）であり、拡大された動画Ａの画面が、表示画面に対応する仮想的な画面Ｗにそのまま一致する。そして、そのまま映像入力チャンネルｃｈ１の映像信号を出力すれば動画Ａが表示画面一杯に表示される。
【００２２】
また、第２の映像入力チャンネルｃｈ２で動画Ｂを選択する場合、図２(C) に示したように原映像信号の画像を縦横２倍に拡大するように表示サイズを設定する。この第２の映像入力チャンネルｃｈ２における表示位置は、映像を左に１画面分（拡大画像の半分）だけ移動するように設定する。これにより拡大された動画Ｂの画面が画面Ｗに一致する。同様に、第３の映像入力チャンネルｃｈ３で動画Ｃを選択する場合、縦横２倍に拡大するように表示サイズを設定するとともに、表示位置は上に１画面分だけ移動するように設定する。また、第４の映像入力チャンネルｃｈ４で動画Ｄを選択する場合、縦横２倍に拡大するように表示サイズを設定するとともに、表示位置は左に１画面分、上に１画面分だけ移動するように設定する。
【００２３】
このように、各映像入力チャンネル（ｃｈ１〜ｃｈ４）における表示サイズのパラメータと表示位置のパラメータを設定することが、画像面の一定範囲を確定させることに相当し、各設定したパラメータを「単一ソースモード」時の設定値として記憶しておく。この場合、各設定したパラメータによる表示サイズ、表示位置を各映像入力チャンネルにおける新たな初期値とし、その上で通常の映像信号の加工等を行うことにより、選択した４つの動画をあたかも４つの映像ソースとして入力したかのように、処理することができる。
【００２４】
上記の説明はパラメータによって表示サイズと表示位置を設定することに対応した説明であり、動画を選択してその映像データを得る処理は、実際には確定された範囲の映像データに対してドットを補間して映像データを切り出すという処理を行っている。図３はこの映像データの切り出しの例を示す図であり、図３(A) の原映像データから動画Ｂを切り出す場合、図３(B) のように動画Ｂの部分だけ拡大して図３(C) のように拡大した一つの動画を得る。図４は拡大時のドットの補間を説明する図であり、(i) のように「ａ１〜ｃ５」の１５のドットからなるものとした場合、各走査線となる「ａ１〜ａ５」、「ｂ１〜ｂ５」、「ｃ１〜ｃ５」の各ドットをコピーして各々のドットの横に挿入し、(ii)のように走査線方向に２倍に拡大する、次に、拡大した走査線「ａ１，ａ１〜ａ５」、「ｂ１，ｂ１〜ｂ５」、「ｃ１，ｃ１〜ｃ５」をそれぞれコピーして次の走査線との間に挿入し、(iii) のように縦方向に２倍に拡大する。このようにして、確定された範囲の映像データに対して切り出しを行う。
【００２５】
図５は実施形態のビデオミキサー装置のブロック図である。信号処理部１０はＣＰＵ１０ａ、ＲＡＭ１０ｂ、ＲＯＭ１０ｃ、タイマ１０ｄで構成されており、ＣＰＵ１０ａはＲＯＭ１０ｃに格納された所定のプログラムを実行し、ＲＡＭ１０ｂの各種レジスタ、フラグ等を含むワーキングエリアを使用して全体の制御を行う。タイマ１０ｄは各種プログラムの実行中に時間を計時するものである。入力インターフェース（Ｉ／Ｆ）２０は接続した映像機器１００から映像信号を取り込み、出力インターフェース３０は接続した画像表示装置２００へ映像信号を出力して表示する。設定操作子群４０は前記操作パネルの各種操作ある。表示器５０は液晶パネル等で構成されており、該ビデオミキサー装置の設定状態や、映像の簡易表示等を行う。記憶装置６０は、作成したシーンデータやストリームデータ、機器の設定状態、あるいは各種のプログラムを記憶する。
【００２６】
図６は実施形態のビデオミキサー装置の要部信号経路を示す図である。この信号経路は、前記各種操作子操作に応じた信号処理部１０、入力インバータ２０及び出力インターフェース３０による機能を、等価な電気回路として図示したものである。なお、Ｅｘｔの系統は省略してある。
【００２７】
各映像入力チャンネル（ｃｈ１〜ｃｈ４）において、スイッチ部Ａは入力セレクトスイッチ１１により切替え設定され、４つの入力端子Ｔ１〜Ｔ４から入力する映像を選択する。なお、「単一ソースモード」の時は、各チャンネルにおいて、映像機器１００を接続した一つの入力端子（例えばＴ１）を選択する。画質制御部Ｂは、ネガスイッチ１３、トリムボリューム１４、色相ボリューム１５、色ゲインボリューム１６等の操作に応じて、入力された映像信号の画質を調整する。画像位置制御部Ｃは、ロータリーエンコーダ２１あるいはアサイナブルボリューム１７の操作に応じて、表示位置、表示サイズ、歪み等を調整し、ボリュームＤは、チャンネルフェーダ１９の操作により映像信号の出力レベルを設定する。オンオフスイッチＥは、チャンネルオンスイッチ１２の操作により映像信号の出力／非出力を切り替え、スイッチ部Ｆは、クロスフェーダアサインスイッチ１８の操作に応じて映像信号を「Ａ入力」，「Ｂ入力」，「スルー」に選択的に出力する。２連ボリュームＧは、クロスフェーダ４１の操作に応じて、「Ａ入力」の映像信号と「Ｂ入力」の映像信号を、設定された混合比に応じたレベルで出力し、この２連ボリュームＧの各出力信号はミキシングされて画像出力チャンネルＯＵＴに出力される。また、「スルー」の映像信号はそのまま画像出力チャンネルＯＵＴに出力される。
【００２８】
画像位置制御部Ｃは、「単一ソースモード」の時は、各映像入力チャンネルに設定されている前記表示サイズ、表示位置のパラメータに基づいて位置制御する。すなわち、選択した一つの動画の範囲の映像データを、あたかも一つの入力端子からの映像信号によるものであるかのように処理を行う。これにより、「単一ソースモード」の時に、通常モードと同様な映像の加工を行ったり、請求項２に対応して特定のタイミングで切り換えたり描画制御を行うために、シーンデータあるいはストリームデータ等で再生を行うと、単一ソースで得られた例えば４つの動画の映像を、４つの入力端子からそれぞれ入力された複数の映像信号に対すると同様な処理を行うことができる。また、「単一ソースモード」の時、映像の加工を行わないでチャンネルのオン／オフあるいはチャンネルの切り換えをすることにより、単一ソースで得られた４つの動画を、切り換えながら同時再生することもできる。
【００２９】
図７は実施形態における制御プログラムのメインルーチンのフローチャート、図８はパネル処理のフローチャート、図９は処理実行のフローチャートであり、同図に基づいて実施形態の動作を説明する。電源の投入によって図７のメインルーチンの処理を開始すると、ステップＳ１の初期化の処理でＲＡＭ１０ｂの内容をクリアするとともに初期の設定を行う。次に、ステップＳ２で図８のパネル処理を行い、ステップＳ３で図９の処理実行を行ってステップＳ２に戻る。
【００３０】
図８のパネル処理では、ステップＳ１１でパネル入力（スイッチ操作）の有無を判定し、パネル入力がなければそのままメインルーチンに復帰し、パネル入力があった場合、すなわちユーザによって何らかの設定操作子が操作されたときステップＳ１２以降でパネル入力による各種指示の内容に応じた処理を行う。ステップＳ１２で映像の選択変更の指示があると、ステップＳ１３で処理部の設定を変更して元のルーチンに復帰する。
【００３１】
このステップＳ１３では、外部から送信されてくる映像に対して映像入力チャンネルを指定、または記憶装置に記憶されている映像データの指定の、どれかをユーザによる選択を受け付ける処理を行う。また、特定された映像からどの範囲を切り出すかの指定を受ける。また、この切り出した映像に対してどのような効果処理を行うかの指定を受ける。さらに、上記特定して処理した映像を複数受け付け、これらの映像の配置の指定を受ける。すなわち、前記操作パネルの操作子の操作に応じた加工処理に関する指定を受ける。
【００３２】
ステップＳ１４でシーンの切り換え指示があると、ステップＳ１５で、シーンメモリスイッチ等により選択されたシーンを読み出し、ステップＳ１３で処理部の設定を変更して元のルーチンに復帰する。なお、この場合もステップＳ１３では、選択されたシーンの内容に応じた前記の加工処理に関する指定を受ける。
【００３３】
ステップＳ１６で映像の出力開始指示があれば、ステップＳ１７で、開始フラグを立てるなど映像の出力開始に関する設定を行って元のルーチンに復帰する。ステップＳ１８で映像の出力停止指示があれば、ステップＳ１９で、停止フラグを立てるなど映像の出力停止に関する設定を行って元のルーチンに復帰する。ステップＳ２０では、例えばシーンデータの作成に関する指示など、その他の指示に関する処理を実行し、元のルーチンに復帰する。
【００３４】
図９の処理実行では、ステップＳ２１で、開始フラグが立っているか否かを判定し、立っていなければ映像開始中でないのでステップＳ２８に進み、開始フラグが立っていいれば、映像開始中であるのでステップＳ２２以降で映像の加工及び出力処理を行う。ステップＳ２２では未処理の映像があるかを判定する。この判定は、複数の映像を合成して出力する場合に一つ一つの映像について、順次映像データの切り出し及び加工を行うためのものであり、全ての映像データについてステップＳ２３，Ｓ２４，Ｓ２５の処理を終了するとステップＳ２６に進む。なお、使用する映像が一つしかなければ、ステップＳ２３，Ｓ２４，Ｓ２５の処理を一度行ってステップＳ２６に進む。
【００３５】
ステップＳ２３では、例えは映像入力チャンネルｃｈ１とｃｈ２との映像データとか、映像入力チャンネルｃｈ１の映像データと記憶装置に記憶された映像データとか、設定されている映像データを取得する。ステップＳ２４では映像データの切り出しを行う。例えば、もともと取得した映像が縦２枚横２枚からなる４枚の映像（例えば図３(A) ）であった場合、右上の映像（動画Ｂ）のみをつかうのであれば、左上の映像と下の映像を取り除いた右上のみの映像データを作り出す。ステップＳ２５では切り出した映像データの加工処理を行う。例えば、図３、図４で説明したと同様な拡大処理（ドットの補間）を行う。また、画面の明るさや色合いや、白黒化、歪み、モザイク化などの映像効果をつけたりもする。
【００３６】
そして、ステップＳ２６では、ステップＳ２３，Ｓ２４，Ｓ２５で処理した映像データについて映像の合成を行い、ステップＳ２７で、合成した映像データを出力し、ステップＳ２８に進む。ステップＳ２８では、停止フラグが立っているか否かを判定し、立っていなければ停止の指示がないのでそのまま元のルーチンに復帰し、停止フラグが立っていいれば、停止の指示がたったので、ステップＳ２９で、開始フラグと停止フラグを下ろして処理を停止させ、元のルーチンに復帰する。
【００３７】
このように、同時再生を目的にして作成した複数の映像を例えば一枚の記録ディスクなどのメディアで供給することができ、取り扱いが容易で、複数の動画を扱う際の作業性もよくなる。また映像ソースの管理もしやすい。また、１つの映像ソース（１つのメディア）の再生で複数の動画が得られるので各動画は、１フレームのずれもない同時再生とすることができる。
【００３８】
実施形態では、入力する一つの映像ソースとして４つの動画を記録した例について説明したが、４つに限らず複数の動画を一つの映像ソースに記録したものであればよい。
【図面の簡単な説明】
【００３９】
【図１】本発明の実施形態におけるビデオミキサー理装置の操作パネルを示す図である。
【図２】本発明の実施形態における範囲確定操作による設定の一例を示す図である。
【図３】本発明の実施形態における映像データの切り出しの例を示す図である。
【図４】本発明の実施形態における映像拡大時のドットの補間を説明する図である。
【図５】本発明の実施形態のビデオミキサー装置のブロック図である。
【図６】本発明の実施形態のビデオミキサー装置の要部信号経路を示す図である。
【図７】本発明の実施形態における制御プログラムのメインルーチンのフローチャートである。
【図８】本発明の実施形態におけるパネル処理のフローチャートである。
【図９】本発明の実施形態における処理実行のフローチャートである。
【符号の説明】
【００４０】
１０…信号処理部、２０…入力インターフェース、２１…ロータリーエンコーダ、３１…パラメータスイッチ（表示位置）、３５…パラメータスイッチ（表示サイズ）、１００…映像機器
【図１】
2005269514.tif 000003
【図２】
2005269514.tif 000004
【図３】
2005269514.tif 000005
【図４】
2005269514.tif 000006
【図５】
2005269514.tif 000007
【図６】
2005269514.tif 000008
【図７】
2005269514.tif 000009
【図８】
2005269514.tif 000010
【図９】
2005269514.tif 000011